(57)【要約】【課題】ペアリングの設定の作業について時間短縮を図ることができる無線システム、無線制御システム、設定器、プログラム及び設定方法を提供する。【解決手段】無線システム１は、設定器４０を用いて無線アダプタ２０と少なくとも１つの無線機器３０とのペアリングをする。無線システム１は、抽出部４１１を備える。抽出部４１１は、設定器４０と複数の無線機器３０との間の無線通信における各無線通信との間の電波強度に基づいて、複数の無線機器３０から少なくとも１つの無線機器３０を、無線アダプタ２０とのペアリングの候補として抽出する。【選択図】図１
2020005209.tif 000002
【特許請求の範囲】
【請求項１】
設定器を用いて無線アダプタと少なくとも１つの無線機器とのペアリングをする無線システムであって、
複数の無線機器のそれぞれと前記設定器との間の無線通信の電波強度である設定器側電波強度に基づいて、前記複数の無線機器から少なくとも１つの無線機器を、前記無線アダプタとのペアリングの候補として抽出する抽出部を備える、
無線システム。
【請求項２】
前記複数の無線機器ごとに対応する前記設定器側電波強度は、前記設定器が前記複数の無線機器のうち対応する無線機器から受信した信号に基づいて得られる、
請求項１に記載の無線システム。
【請求項３】
前記抽出部は、
前記複数の無線機器から少なくとも１つの無線機器を前記無線アダプタとのペアリングの候補として抽出する際に、さらに、前記複数の無線機器のそれぞれと前記無線アダプタとの間の無線通信の電波強度である無線アダプタ側電波強度を用いる、
請求項１又は２に記載の無線システム。
【請求項４】
前記複数の無線機器ごとに対応する前記無線アダプタ側電波強度は、前記無線アダプタが前記複数の無線機器のうち対応する無線機器から受信した信号に基づいて得られる、
請求項３に記載の無線システム。
【請求項５】
前記設定器は、前記複数の無線機器にそれぞれ対応付けられた識別子の取得を要求する取得要求信号を前記無線アダプタに送信し、
前記無線アダプタは、前記取得要求信号を受信すると、識別子を要求する識別子要求信号を前記複数の無線機器に送信し、
前記無線アダプタ側電波強度は、前記複数の無線機器のうち対応する前記無線機器が前記無線アダプタに送信した信号であって前記無線機器の前記識別子を含む、前記識別子要求信号に対する応答信号に基づいて得られる、
請求項４に記載の無線システム。
【請求項６】
前記取得要求信号は、前記設定器と無線通信を行い、前記無線アダプタと有線通信を行うコントローラを介して前記無線アダプタに送信される、
請求項５に記載の無線システム。
【請求項７】
前記抽出部は、
前記複数の無線機器のそれぞれについて、当該無線機器に対応する前記設定器側電波強度と、当該無線機器に対応する前記無線アダプタ側電波強度との平均値を求め、
前記複数の無線機器にそれぞれ対応する複数の平均値を用いて、前記複数の無線機器から少なくとも１つの無線機器を、前記無線アダプタとのペアリングの候補として抽出する、
請求項３〜６のいずれか一項に記載の無線システム。
【請求項８】
前記抽出部は、
前記複数の無線機器のそれぞれについて、当該無線機器に対応する前記設定器側電波強度が所定の閾値以上である場合に、当該無線機器を前記無線アダプタとのペアリングの候補として抽出する、
請求項１〜６のいずれか一項に記載の無線システム。
【請求項９】
無線アダプタと１つ又は複数の無線機器とを含む無線制御システムであって、
前記無線アダプタは、
複数の無線機器から少なくとも１つの無線機器を前記無線アダプタとのペアリングの候補として、前記複数の無線機器のそれぞれとの間の無線通信の電波強度である設定器側電波強度に基づいて抽出する設定器と通信を行い、
前記ペアリングの候補である前記少なくとも１つの無線機器に対して制御を行う、
無線制御システム。
【請求項１０】
無線アダプタと少なくとも１つの無線機器とのペアリングをする設定器であって、
複数の無線機器のそれぞれとの間の無線通信の電波強度である設定器側電波強度に基づいて、前記複数の無線機器から少なくとも１つの無線機器を、前記無線アダプタとのペアリングの候補として抽出する抽出部を備える、
設定器。
【請求項１１】
無線アダプタと少なくとも１つの無線機器とのペアリングをするために用いられる設定器で用いられるプログラムであって、コンピュータに、
複数の無線機器のそれぞれとの間の無線通信の電波強度である設定器側電波強度に基づいて、前記複数の無線機器から少なくとも１つの無線機器を、前記無線アダプタとのペアリングの候補として抽出する抽出ステップを実行させるためのプログラム。
【請求項１２】
設定器を用いて無線アダプタと少なくとも１つの無線機器とのペアリングをする無線システムで用いられる設定方法であって、
複数の無線機器のそれぞれと前記設定器との間の無線通信の電波強度である設定器側電波強度に基づいて、前記複数の無線機器から少なくとも１つの無線機器を、前記無線アダプタとのペアリングの候補として抽出する抽出ステップを含む、
設定方法。
【発明の詳細な説明】
【技術分野】
【０００１】
本開示は、一般に無線システム、無線制御システム、設定器、プログラム及び設定方法に関し、より詳細には無線アダプタと当該無線アダプタと無線通信を行う無線機器とのペアリングを行う無線システム、無線制御システム、設定器、プログラム及び設定方法に関する。
【背景技術】
【０００２】
従来、照明コントローラ（無線アダプタ）と当該照明コントローラと無線通信を行う照明器具（無線機器）とのペアリングの設定を行う照明制御システム（無線システム）が知られている（例えば、特許文献１）。
【０００３】
特許文献１では、コントローラが複数の照明機器に対してＩＤ要求の電波を送信する。照明機器はＩＤ要求を受け付けると、照明機器の固有ＩＤ及びコントローラが送信した電波の受信信号強度を含むＩＤ応答をコントローラに無線通信で送信する。コントローラと赤外線無線通信を行う設定器は、表示すべき受信信号強度の範囲を作業者の操作に応じて広げながら、コントローラが受信した複数のＩＤ応答にそれぞれ対応する複数の照明機器を個々に制御して、ペアリングを行うか否かを作業者が判断する。
【先行技術文献】
【特許文献】
【０００４】
【特許文献１】特開２０１６−１７８０１４号公報
【発明の概要】
【発明が解決しようとする課題】
【０００５】
コントローラは、制御対象である照明機器が設置されたエリアに、ペアリングが行われる前に設置されている。コントローラとエリア外の照明機器との間に障害物がある場合には、電波状況によってエリア外の照明機器がＩＤ要求を比較的高い受信信号強度で受信し、コントローラはエリア外の照明機器からＩＤ応答を受信することがある。この場合、作業者は、ペアリングの設定を行うか否かの判断を、エリア外の照明機器に対しても行うことになる。
【０００６】
つまり、特許文献１の照明制御システムでは、エリア外の照明機器についてもペアリングを行うか否かの判断を行う場合があり、ペアリングの設定の作業に時間がかかる。
【０００７】
本開示は上記課題に鑑みてなされ、ペアリングの設定の作業について時間短縮を図ることができる無線システム、無線制御システム、設定器、プログラム及び設定方法を提供することを目的とする。
【課題を解決するための手段】
【０００８】
本開示の一態様に係る無線システムは、設定器を用いて無線アダプタと少なくとも１つの無線機器とのペアリングをする。前記無線システムは、抽出部を備える。前記抽出部は、複数の無線機器のそれぞれと前記設定器との間の無線通信の電波強度である設定器側電波強度に基づいて、前記複数の無線機器から少なくとも１つの無線機器を、前記無線アダプタとのペアリングの候補として抽出する。
【０００９】
本開示の一態様に係る無線制御システムは、無線アダプタと１つ又は複数の無線機器とを含む。前記無線制御システムの前記無線アダプタは、設定器と通信を行い、前記ペアリングの候補である前記少なくとも１つの無線機器に対して制御を行う。前記設定器は、複数の無線機器から少なくとも１つの無線機器を前記無線アダプタとのペアリングの候補として、前記複数の無線機器のそれぞれとの間の無線通信の電波強度である設定器側電波強度に基づいて抽出する。
【００１０】
本開示の一態様に係る設定器は、無線アダプタと少なくとも１つの無線機器とのペアリングをするために用いられる。前記設定器は、抽出部を備える。前記抽出部は、複数の無線機器のそれぞれとの間の無線通信の電波強度である設定器側電波強度に基づいて、前記複数の無線機器から少なくとも１つの無線機器を、前記無線アダプタとのペアリングの候補として抽出する。
【００１１】
本開示の一態様に係るプログラムは、無線アダプタと少なくとも１つの無線機器とのペアリングをするために用いられる設定器で用いられるプログラムである。前記プログラムは、コンピュータに、抽出ステップを実行させるためのプログラムである。前記抽出ステップは、複数の無線機器のそれぞれとの間の無線通信の電波強度である設定器側電波強度に基づいて、前記複数の無線機器から少なくとも１つの無線機器を、前記無線アダプタとのペアリングの候補として抽出する。
【００１２】
本開示の一態様に係る設定方法は、設定器を用いて無線アダプタと少なくとも１つの無線機器とのペアリングをする無線システムで用いられる。前記設定方法は、抽出ステップを含む。前記抽出ステップは、複数の無線機器のそれぞれと前記設定器との間の無線通信の電波強度である設定器側電波強度に基づいて、前記複数の無線機器から少なくとも１つの無線機器を、前記無線アダプタとのペアリングの候補として抽出する。
【発明の効果】
【００１３】
本開示によると、ペアリングの設定の作業について時間短縮を図ることができる。
【図面の簡単な説明】
【００１４】
【図１】図１は、本開示の一実施形態に係る無線システムの構成を示す図である。
【図２】図２は、同上の無線システムの動作を示すシーケンス図である。
【図３】図３は、同上の無線システムにおける決定処理を説明する流れ図である。
【図４】図４は、同上の無線システムの変形例における抽出処理を説明する流れ図である。
【発明を実施するための形態】
【００１５】
以下に説明する各実施形態及び変形例は、本開示の一例に過ぎず、本開示は、各実施形態及び変形例に限定されない。これらの実施形態及び変形例以外であっても、本開示に係る技術的思想を逸脱しない範囲であれば、設計等に応じて種々の変更が可能である。
【００１６】
（実施形態）
以下、本実施形態に係る無線システム、無線制御システム、設定器、プログラム及び設定方法について、図１〜図３を用いて説明する。
【００１７】
（１）概要
本実施形態に係る無線システムは、例えば、オフィスビル、店舗、病院、学校、又は工場等の施設に用いられ、施設に設置されている照明器具等の制御対象を制御するためのシステムである。本実施形態では、無線システム１が照明器具を制御するための照明無線システムである場合を例として説明する。
【００１８】
無線システム１は、図１に示すように、コントローラ１０と、複数台の無線アダプタ２０と、複数の無線機器３０と、設定器４０と、を備えている。コントローラ１０は、複数の無線アダプタ２０のそれぞれと通信可能に構成され、複数の無線アダプタ２０を管理する。複数台の無線機器３０のそれぞれは、複数台の無線アダプタ２０のうちいずれか１台の無線アダプタ２０と通信可能に構成されている。以下、複数台の無線アダプタ２０を区別する必要がある場合には、無線アダプタ２０のそれぞれを無線アダプタ２０ａ，２０ｂ，・・・，２０ｃという。同様に、複数台の無線機器３０を区別する必要がある場合には、無線機器３０のそれぞれを無線機器３０ａ，３０ｂ，・・・，３０ｃという。なお、本実施形態では、無線システム１は、無線アダプタ２０を複数台備える構成としているが、無線アダプタ２０を１台備える構成であってもよい。つまり、無線システム１は、無線アダプタ２０を少なくとも１台備えていればよい。
【００１９】
また、本開示の無線制御システム２は、複数の無線アダプタ２０と、複数の無線機器３０と、を備える。なお、無線システム１が無線アダプタ２０を１台備える場合には、無線制御システム２も無線アダプタ２０を１台備える。
【００２０】
設定器４０は、複数台の無線アダプタ２０のそれぞれに対して、当該無線アダプタ２０と、複数台の無線機器３０のうち当該無線アダプタ２０と通信可能な無線機器３０とのペアリングを決定する。具体的には、設定器４０は、複数台の無線アダプタ２０のそれぞれに対して、当該無線アダプタ２０と通信可能な少なくとも１台の無線機器３０をペアリングの候補として複数台の無線機器３０から抽出する。設定器４０は、利用者の操作により、ペアリングの候補として抽出されたすべての無線機器３０のうち無線アダプタ２０とペアリングすべき１台以上の無線機器３０を決定する。
【００２１】
複数台の無線機器３０は、制御対象である照明器具と一体に構成されている。または、無線機器３０は、制御対象である照明器具と別体であってもよく、この場合、制御端末としての無線機器３０は、照明器具、若しくは照明器具への給電路上に設けられたリレーに、電気的に接続される。無線機器３０は、ペアリングされた無線アダプタ２０から送信される制御命令に従って、例えば、照明器具のオン／オフ、調光、又は調色等の制御を行う機能を有する。
【００２２】
（２）構成
次に、本実施形態に係る無線システム１の構成について、図１を参照して詳細に説明する。
【００２３】
（２−１）コントローラ
コントローラ１０は、２線式の信号線１１にて無線アダプタ２０と有線接続されている。コントローラ１０は、無線アダプタ２０との間で有線通信により双方向に通信可能に構成されている。本実施形態では、コントローラ１０と無線アダプタ２０との間において、例えば、双極性（±２４Ｖ）の時分割多重信号からなる伝送信号により通信が行われる。具体的には、コントローラ１０は、伝送信号を信号線１１に出力する。これにより、コントローラ１０から無線アダプタ２０に伝送信号が送信される。また、無線アダプタ２０は、伝送信号の返送期間において、伝送信号を電流モード信号として返送する。これにより、無線アダプタ２０からコントローラ１０に伝送信号が送信される。ここでいう「電流モード信号」とは、信号線１１の線間を開放した状態と、線間に低インピーダンスの素子を接続した状態との切り替えによって生じる電流変化で表される信号である。
【００２４】
（２−２）設定器
設定器４０は、複数の無線アダプタ２０のそれぞれに対して、１台以上の無線機器３０とのペアリングを決定する際に用いられる。設定器４０は、例えばタブレット端末、スマートフォン等の持ち運び可能な端末である。
【００２５】
設定器４０は、無線アダプタ２０との間、無線機器３０との間、及びコントローラ１０との間で無線通信により双方向に信号を送受信可能に構成されている。本実施形態では、無線アダプタ２０と設定器４０の間、及び無線機器３０と設定器４０との間の通信方式は、例えば、免許を必要としない小電力無線（特定小電力無線）等の無線通信である。この種の小電力無線については、用途等に応じて使用する周波数帯域や空中線電力などの仕様が各国で規定されている。日本国においては、９２０ＭＨｚ帯又は４２０ＭＨｚ帯の電波を使用する小電力無線が規定されている。コントローラ１０と設定器４０との間の通信方式は、例えばＷｉ−Ｆｉ（登録商標）の無線通信である。
【００２６】
設定器４０は、図１に示すように、第１通信部４０１と、第２通信部４０２と、記憶部４０３と、表示部４０４と、操作部４０５と、制御部４０６と、を有している。
【００２７】
第１通信部４０１は、各無線アダプタ２０、及び複数台の無線機器３０との通信を行うための通信インタフェースである。無線通信部２０２は、各無線アダプタ２０との間、及び複数台の無線機器３０との間で、小電力無線による無線通信により双方向に信号の送受信を行う。
【００２８】
第１通信部４０１は、受信した信号の電波強度として受信信号強度（ＲＳＳＩ：Received Signal Strength Indication）を測定する測定機能を有しており、測定結果を制御部４０６に出力する。
【００２９】
第２通信部４０２は、コントローラ１０との通信を行うための通信インタフェースである。無線通信部２０２は、各無線アダプタ２０との間、及び複数台の無線機器３０との間で、Ｗｉ−Ｆｉ（登録商標）による無線通信により双方向に信号の送受信を行う。
【００３０】
記憶部４０３は、例えばフラッシュメモリ等の電気的に書換可能な不揮発性の半導体メモリで構成される。記憶部４０３は、ペアリングの設定に用いる情報として、例えば後述する通信可能値、候補用閾値、及び各無線アダプタ２０の識別子等を記憶する。無線アダプタ２０の識別子とは、例えば無線アダプタに予め割り当てられたＭａｃアドレスである。
【００３１】
表示部４０４は、例えば液晶ディスプレイや有機ＥＬ（electroluminescence）ディスプレイのような薄型のディスプレイ装置である。表示部４０４は、複数の無線機器３０のうち一の無線アダプタ２０のペアリングの候補として抽出された少なくとも１台の無線機器３０の一覧を表示する。
【００３２】
操作部４０５は、設定器４０の操作者の操作を受け付ける機能を有している。本実施形態では、設定器４０がタッチパネルディスプレイを搭載している場合には、タッチパネルディスプレイが表示部４０４及び操作部４０５として機能する。なお、操作部４０５は、タッチパネルディスプレイに限らず、例えばキーボードやポインティングデバイス、メカニカルなスイッチ等であってもよい。
【００３３】
制御部４０６は、ＣＰＵ（Central Processing Unit）及びメモリを主構成とするマイクロコンピュータにて構成されている。言い換えれば、制御部４０６は、ＣＰＵ及びメモリを有するコンピュータにて実現されており、ＣＰＵがメモリに格納されているプログラムを実行することにより、コンピュータが制御部４０６として機能する。プログラムは、ここではマイクロコンピュータのメモリに予め記録されているが、インターネット等の電気通信回線を通じて、又はメモリカード等の記録媒体に記録されて提供されてもよい。
【００３４】
制御部４０６は、抽出部４１１と、決定部４１２と、を有する。
【００３５】
抽出部４１１は、ペアリングの設定対象である無線アダプタ２０とのペアリングの候補となる少なくとも１台の無線機器３０を複数の無線機器３０から抽出する。
【００３６】
具体的には、抽出部４１１は、機器ＩＤの送信を要求する信号であって設定器４０の識別子を送信元の情報として含む第１要求信号を、各無線機器３０に対して第１通信部４０１を介してブロードキャストで送信する。このとき、設定器４０は、ペアリングの設定対象である無線アダプタ２０が設置された付近において第１要求信号を送信する。例えば、無線アダプタ２０が天井に設置されている場合には、設定器４０は、無線アダプタ２０の下方の位置から第１要求信号を送信する。ここで、機器ＩＤとは、無線機器３０を識別するための識別子であって、例えば無線機器３０に予め割り当てられたＭａｃアドレスである。また、設定器４０の識別子とは、例えば設定器４０に予め割り当てられたＭａｃアドレスである。抽出部４１１は、第１要求信号を受信した複数台の無線機器３０のそれぞれから第１応答信号及び第１応答信号に対するＲＳＳＩの値を、第１通信部４０１から受け取る。ここで、第１応答信号は、第１要求信号を受信したことに対する信号であって機器ＩＤを含む信号である。第１応答信号に含まれる機器ＩＤは、第１応答信号の送信元である無線機器３０の機器ＩＤである。第１応答信号に対応するＲＳＳＩの値を第１ＲＳＳＩ値（設定器側電波強度）という。抽出部４１１は、取得した第１応答信号のうち、対応する第１ＲＳＳＩ値が予め設定された通信可能値以上の第１応答信号を抽出し、抽出した第１応答信号に含まれる機器ＩＤと当該第１応答信号に対応する第１ＲＳＳＩ値とのすべての組を記憶する。ここで、通信可能値は、無線通信が可能であるか否かを判断するために用いられる値である。
【００３７】
抽出部４１１は、第２要求信号（取得要求信号）を、ペアリングの設定対象である無線アダプタ２０に第１通信部４０１を介して送信する。第２要求信号は、機器ＩＤの取得を要求する信号であってペアリングの設定対象である無線アダプタ２０の識別子を送信先の情報とし設定器４０の識別子を送信元の情報として含む信号である。抽出部４１１は、ペアリングの設定対象である無線アダプタ２０が送信した第２応答信号を、第１通信部４０１を介して受信する。第２応答信号は、ペアリングの設定対象である無線アダプタ２０が取得した機器ＩＤと、当該機器ＩＤに対応する無線機器３０との無線通信でのＲＳＳＩの値である第２ＲＳＳＩ値（無線アダプタ側電波強度）との１つ以上の組を含む。
【００３８】
抽出部４１１は、取得した機器ＩＤごとに、対応する第１ＲＳＳＩ値及び第２ＲＳＳＩ値を用いて当該機器ＩＤの無線機器３０をペアリングの候補として抽出するか否かを決定する。具体的には、抽出部４１１は、同一の機器ＩＤに対する第１ＲＳＳＩ値と第２ＲＳＳＩ値との平均値を求め、求めた平均値が予め定められた候補用閾値以上である場合は、当該機器ＩＤの無線機器３０をペアリングの候補として抽出する。ここで、候補用閾値は、対応する無線機器３０をペアリングの候補として抽出すべきか否かを判断するために用いられる値であって通信可能値よりも大きい値である。
【００３９】
決定部４１２は、ペアリングの設定対象である無線アダプタ２０とのペアリングの候補として抽出された１台以上の無線機器３０の一覧を、表示部４０４に表示させる。具体的には、決定部４１２は、ペアリングの候補として抽出された１つ以上の機器ＩＤの一覧を、表示部４０４に表示させる。
【００４０】
決定部４１２は、表示された一覧で１つの機器ＩＤが操作部４０５で選択されると、制御要求信号を、ペアリングの設定対象である無線アダプタ２０に送信する。制御要求信号は、選択された機器ＩＤの無線機器３０に対する制御を要求する信号であって選択された機器ＩＤを含む信号である。このとき、ペアリングの設定対象である無線アダプタ２０では、制御要求信号を受け取ると、当該制御要求信号に含まれる機器ＩＤの無線機器３０に対して照明器具の点灯を行うように制御する。ペアリングの設定対象である無線アダプタ２０は、照明器具を点灯した後、所定時間が経過すると、当該照明器具の消灯を行う。
【００４１】
決定部４１２は、選択された機器ＩＤの無線機器３０が照明器具の点灯を行っている間に、ペアリングの設定対象である無線アダプタ２０と当該無線機器３０とのペアリングの決定の指示を操作部４０５が受け付けると、当該無線機器３０に対する通信アドレスを取得する。通信アドレスは、無線機器３０を識別する識別子である。決定部４１２は、取得した通信アドレスと、対応する無線機器３０の機器ＩＤとの組を、記憶する。
【００４２】
決定部４１２は、一覧の表示の終了指示を操作部４０５が受け付けると、一覧の表示を終了する。このとき、決定部４１２は、記憶している通信アドレスと機器ＩＤとのすべての組を含む通信テーブルを、設定終了の通知とともに、ペアリングの設定対象である無線アダプタ２０に第１通信部４０１を介して送信する。
【００４３】
（２−３）無線アダプタ
無線アダプタ２０は、無線機器３０との間で無線通信により双方向に信号を送受信可能に構成されている。つまり、無線アダプタ２０は、コントローラ１０との間では有線通信を行い、無線機器３０との間、及び設定器４０との間では無線通信を行う。本実施形態では、無線アダプタ２０と無線機器３０との間の通信方式は、例えば、小電力無線（特定小電力無線）等の無線通信である。
【００４４】
無線アダプタ２０は、図１に示すように、有線通信部２０１と、無線通信部２０２と、制御部２０３と、記憶部２０４と、を有している。
【００４５】
有線通信部２０１は、コントローラ１０との通信を行うための通信インタフェースであって、信号線１１にてコントローラ１０と接続されている。有線通信部２０１は、コントローラ１０との間で、伝送信号を用いて有線通信により双方向に伝送信号の送受信を行う。
【００４６】
無線通信部２０２は、複数台の無線機器３０との通信を行うための通信インタフェースである。無線通信部２０２は、無線機器３０との間で、無線通信により双方向に信号の送受信を行う。無線通信部２０２は、受信した信号の受信信号強度（ＲＳＳＩ）を測定する測定機能を有しており、測定結果を制御部２０３に出力する。
【００４７】
制御部２０３は、有線通信部２０１及び無線通信部２０２を制御する。制御部２０３は、ＣＰＵ及びメモリを主構成とするマイクロコンピュータにて構成されている。言い換えれば、制御部２０３は、ＣＰＵ及びメモリを有するコンピュータにて実現されており、ＣＰＵがメモリに格納されているプログラムを実行することにより、コンピュータが制御部２０３として機能する。プログラムは、ここではマイクロコンピュータのメモリに予め記録されているが、インターネット等の電気通信回線を通じて、又はメモリカード等の記録媒体に記録されて提供されてもよい。
【００４８】
制御部２０３は、無線通信部２０２を介して設定器４０から第２要求信号を受け取ると、第３要求信号（識別子要求信号）を、各無線機器３０に対して第２通信部４０２を介してブロードキャストで送信する。第３要求信号は、機器ＩＤの送信を要求する信号であって予め記憶している識別子を送信元の情報として含む。ここで、無線アダプタ２０の識別子とは、当該無線アダプタ２０に予め割り当てられたＭａｃアドレスである。制御部２０３は、自器が送信した第３要求信号を受信した複数台の無線機器３０のそれぞれから第３応答信号及び第３応答信号に対する第２ＲＳＳＩ値を、無線通信部２０２から受け取る。ここで、第３応答信号は、第３要求信号を受信したことに対する信号であって機器ＩＤを含み、無線アダプタ２０の識別子を送信先の情報として含む信号である。第３応答信号に含まれる機器ＩＤは、第３応答信号の送信元である無線機器３０の機器ＩＤである。つまり、制御部２０３は、自器宛の第３応答信号と、当該応答信号に対する第２ＲＳＳＩ値を取得する。制御部２０３は、取得した第３応答信号のうち、対応する第２ＲＳＳＩ値が予め設定された通信可能値以上の第３応答信号を抽出し、抽出した第１応答信号に含まれる機器ＩＤと当該第１応答信号に対応する第１ＲＳＳＩ値とのすべての組を生成する。制御部２０３は、生成したすべての組を含む第２応答信号を、無線通信部２０２を介して設定器４０に送信する。
【００４９】
制御部２０３は、設定器４０から無線通信部２０２を介して、通信テーブルを受け取ると、記憶部２０４に記憶する。
【００５０】
制御部２０３は、通信テーブルに含まれる各通信アドレスを、対応する機器ＩＤの無線機器３０に無線通信部２０２を介して送信する。具体的には、制御部２０３は、通信アドレスごとに、当該通信アドレスを含み、当該通信アドレスに対応する機器ＩＤを送信先とするアドレス信号を、ブロードキャストで送信する。
【００５１】
記憶部２０４は、例えばフラッシュメモリ等の電気的に書換可能な不揮発性の半導体メモリで構成される。記憶部２０４は、ペアリングの設定時に用いる情報、例えば通信可能値を記憶する。さらに、記憶部２０４は、通信テーブルを記憶する。
【００５２】
上述のように構成される無線アダプタ２０は、例えば、複数台の無線機器３０が設置された部屋の天井等、複数台の無線機器３０との間で無線通信を行うのに適した位置に配置される。
【００５３】
（２−４）無線機器
次に、無線機器３０の構成について説明する。
【００５４】
無線機器３０は、図１に示すように、通信部３０１と、制御部３０２と、記憶部３０３と、を有する。
【００５５】
通信部３０１は、無線アダプタ２０及び設定器４０との通信を行うための通信インタフェースである。通信部３０１は、無線アダプタ２０との間、及び設定器４０との間で、無線通信により双方向に信号の送受信を行う。
【００５６】
制御部３０２は、ＣＰＵ及びメモリを主構成とするマイクロコンピュータにて構成されている。言い換えれば、制御部３０２は、ＣＰＵ及びメモリを有するコンピュータにて実現されており、ＣＰＵがメモリに格納されているプログラムを実行することにより、コンピュータが制御部３０２として機能する。プログラムは、ここではマイクロコンピュータのメモリに予め記録されているが、インターネット等の電気通信回線を通じて、又はペアリングされた無線アダプタ２０からの無線信号を通じて、又はメモリカード等の記録媒体に記録されて提供されてもよい。
【００５７】
制御部３０２は、設定器４０から第１要求信号を、通信部３０１を介して受け取ると、予め記憶している機器ＩＤを取得する。制御部３０２は、取得した機器ＩＤを含み、第１要求信号に含まれる送信元の識別子（設定器４０の識別子）を送信先とする第１応答信号を生成し、生成した第１応答信号をブロードキャストで通信部３０１を介して送信する。
【００５８】
制御部３０２は、無線アダプタ２０から第３要求信号を、通信部３０１を介して受け取ると、予め記憶している機器ＩＤを取得する。制御部３０２は、取得した機器ＩＤを含み、第２要求信号に含まれる送信元の識別子（ペアリングの設定対象の無線アダプタ２０の識別子）を送信先とする第３応答信号を生成し、生成した第３応答信号をブロードキャストで通信部３０１を介して送信する。
【００５９】
制御部３０２は、無線アダプタ２０から自器宛のアドレス信号を受け取ると、受け取ったアドレス信号に含まれる通信アドレスを、記憶部３０３に記憶する。
【００６０】
記憶部３０３は、例えばフラッシュメモリ等の電気的に書換可能な不揮発性の半導体メモリで構成される。記憶部３０３は、ペアリングされた無線アダプタ２０との間の通信を行う際に用いる通信アドレスを記憶する。
【００６１】
（３）動作
（３−１）抽出処理
ここでは、複数台の無線機器３０から少なくとも１台の無線機器３０をペアリングの候補として抽出する抽出処理について、図２を用いて説明する。なお、ここでは、無線アダプタ２０ａをペアリングの設定対象とする。ペアリングの設定対象が無線アダプタ２０ｂ，２０ｃである場合であっても動作は、以下に説明する動作と同様である。
【００６２】
設定器４０の抽出部４１１は、通信可能な無線機器３０から機器ＩＤを取得するために、第１要求信号を、無線通信によりブロードキャストで送信する（ステップＳ１，Ｓ２）。
【００６３】
第１要求信号を受信した各無線機器３０（ここでは、無線機器３０ａ，３０ｂ，３０ｃ）は、機器ＩＤを含み、宛先を設定器４０とする第１応答信号を、無線通信によりブロードキャストで送信する（ステップＳ３）。
【００６４】
設定器４０は、第１要求信号を受信した各無線機器３０から第１応答信号を受信すると、第１受信処理を行う（ステップＳ４）。具体的には、抽出部４１１は、受信したすべての第１応答信号のうち、対応する第１ＲＳＳＩ値が予め設定された通信可能値以上の第１応答信号を抽出する。抽出部４１１は、抽出した第１応答信号に含まれる機器ＩＤと当該第１応答信号に対応する第１ＲＳＳＩ値とのすべての組を記憶する。
【００６５】
抽出部４１１は、通信可能な無線機器３０の機器ＩＤをペアリングの設定対象である無線アダプタ２０ａを介して取得するために、第２要求信号を無線アダプタ２０ａに無線通信により送信する（ステップＳ５，Ｓ６）。
【００６６】
制御部２０３は、無線通信部２０２を介して設定器４０から第２要求信号を受け取ると、通信可能な無線機器３０の機器ＩＤを取得するために、第３要求信号を無線通信によりブロードキャストで送信する（ステップＳ７，Ｓ８）。
【００６７】
第３要求信号を受信した各無線機器３０（ここでは、無線機器３０ａ，３０ｂ，３０ｃ）は、機器ＩＤを含み、宛先を無線アダプタ２０ａとする第３応答信号を、無線通信によりブロードキャストで送信する（ステップＳ９）。
【００６８】
無線アダプタ２０ａは、第３要求信号を受信した各無線機器３０から第３応答信号を受信すると、第２受信処理を行う（ステップＳ１０）。具体的には、制御部２０３は、受信したすべての第３応答信号のうち、対応する第２ＲＳＳＩ値が予め設定された通信可能値以上の第２応答信号を抽出する。制御部２０３は、抽出した第３応答信号に含まれる機器ＩＤと当該第３応答信号に対応する第２ＲＳＳＩ値とのすべての組を生成する。
【００６９】
制御部２０３は、生成したすべての組を含む第２応答信号を、無線通信部２０２を介して設定器４０に送信する（ステップＳ１１）。
【００７０】
抽出部４１１は、無線アダプタ２０ａが送信した第２応答信号を受信すると、抽出処理を行う（ステップＳ１２）。具体的には、抽出部４１１は、ステップＳ４で取得した機器ＩＤごとに、当該機器ＩＤに対応する第１ＲＳＳＩ値及び第２ＲＳＳＩ値を用いて当該機器ＩＤの無線機器３０をペアリングの候補として抽出するか否かを決定する。例えば、抽出部４１１は、同一の機器ＩＤに対する第１ＲＳＳＩ値と第２ＲＳＳＩ値との平均値を求め、求めた平均値が予め定められた候補用閾値以上である場合は、当該機器ＩＤの無線機器３０をペアリングの候補として抽出する。抽出部４１１は、求めた平均値が候補用閾値より小さい場合には、対応する機器ＩＤは破棄する、つまり当該機器ＩＤの無線機器３０をペアリングの候補として抽出しない。
【００７１】
（３−２）決定処理
ここでは、ペアリングの候補として抽出された無線機器から、ペアリングの設定対象である無線アダプタ２０とのペアリングを決定する決定処理について、図３を用いて説明する。なお、ここでは、無線アダプタ２０ａをペアリングの設定対象とする。なお、ペアリングの設定対象が無線アダプタ２０ｂ，２０ｃである場合であっても動作は、以下に説明する動作と同様である。
【００７２】
決定部４１２は、無線アダプタ２０ａとのペアリングの候補として抽出された１台以上の無線機器３０の一覧を、表示部４０４に表示させる（ステップＳ１００）。具体的には、決定部４１２は、ペアリングの候補として抽出された１つ以上の機器ＩＤの一覧を、表示部４０４に表示させる。
【００７３】
操作部４０５は、ペアリングの候補として抽出された１つ以上の機器ＩＤのうち１つの機器ＩＤの選択を受け付ける（ステップＳ１０１）。
【００７４】
決定部４１２は、１つの機器ＩＤが操作部４０５で選択されると、制御要求信号を、ペアリングの設定対象である無線アダプタ２０ａに送信する（ステップＳ１０２）。このとき、無線アダプタ２０ａでは、制御要求信号を受け取ると、当該制御要求信号に含まれる機器ＩＤの無線機器３０に対して照明器具の点灯を行うように制御する。
【００７５】
決定部４１２は、選択された機器ＩＤの無線機器３０が照明器具の点灯を行っている間に、無線アダプタ２０ａと当該無線機器３０とのペアリングの決定の指示を操作部４０５が受け付けたか否かを判断する（ステップＳ１０３）。
【００７６】
ペアリングの決定の指示を操作部４０５が受け付けたと決定部４１２が判断する場合（ステップＳ１０３における「Ｙｅｓ」）、決定部４１２は、当該無線機器３０に対する通信アドレスを取得し、取得した通信アドレスと、対応する無線機器３０の機器ＩＤとの組を、記憶する（ステップＳ１０４）。
【００７７】
決定部４１２は、次の機器ＩＤの選択を操作部４０５が受け付けたか否かを判断する（ステップＳ１０５）。
【００７８】
次の機器ＩＤの選択を操作部４０５が受け付けたと決定部４１２が判断した場合（ステップＳ１０５における「Ｙｅｓ」）、処理は、ステップＳ１０２に戻る。
【００７９】
次の機器ＩＤの選択を操作部４０５が受け付けていないと決定部４１２が判断した場合（ステップＳ１０５における「Ｎｏ」）、一覧の表示の終了指示を操作部４０５が受け付けたか否かを判断する（ステップＳ１０６）。
【００８０】
終了指示を操作部４０５が受け付けていないと決定部４１２が判断する場合（ステップＳ１０６における「Ｎｏ」）、処理は、ステップＳ１０３に戻る。
【００８１】
終了指示を操作部４０５が受け付けたと決定部４１２が判断する場合（ステップＳ１０６における「Ｙｅｓ」）、決定部４１２は、記憶している通信アドレスと機器ＩＤとのすべての組を含む通信テーブルを、設定終了の通知とともに無線アダプタ２０ａに送信する（ステップＳ１０７）。このとき、決定部４１２は、一覧の表示を終了する。
【００８２】
ペアリングの決定の指示を操作部４０５が受け付けていないと決定部４１２が判断する場合（ステップＳ１０３における「Ｎｏ」）、処理は、ステップＳ１０５に移行する。
【００８３】
（４）変形例
以下に、変形例について列記する。なお、以下に説明する変形例は、上記実施形態と適宜組み合わせて適用可能である。
【００８４】
（４−１）変形例１
上記実施形態では、設定器４０は、第１要求信号を受信した各無線機器３０からの第１応答信号を、各無線機器３０について１回受信する構成としたが、この構成に限定されない。
【００８５】
設定器４０は、所定時間内（例えば１秒間内）に、第１要求信号を受信した各無線機器３０から第１応答信号を複数回（例えば、５回）受信する構成であってもよい。この場合、設定器４０は、第１応答信号を送信した各無線機器３０について、複数回受信した第１応答信号のＲＳＳＩ値の平均値を算出する。設定器４０は、算出した平均値が通信可能値以上である場合、当該平均値を当該複数の第１応答信号を送信した無線機器３０に対する第１ＲＳＳＩ値とする。
【００８６】
なお、設定器４０は、複数回受信した第１応答信号のＲＳＳＩ値を基に、平均値を算出する代わりに、最大値、最小値又は中央値を求めてもよい。設定器４０は、求めた値（最大値、最小値又は中央値）が通信可能値以上である場合、当該値を当該複数の第１応答信号を送信した無線機器３０に対する第１ＲＳＳＩ値とする。
【００８７】
さらに、無線アダプタ２０は、所定時間内（例えば１秒間内）に、第３要求信号を受信した各無線機器３０から第３応答信号を複数回（例えば、５回）受信する構成であってもよい。この場合、無線アダプタ２０は、第３応答信号を送信した各無線機器３０について、複数回受信した第３応答信号のＲＳＳＩ値の平均値を算出する。無線アダプタ２０は、算出した平均値が通信可能値以上である場合、当該平均値を当該複数の第３応答信号を送信した無線機器３０に対する第２ＲＳＳＩ値とする。
【００８８】
なお、無線アダプタ２０は、複数回受信した第３応答信号のＲＳＳＩ値を基に、平均値を算出する代わりに、最大値、最小値又は中央値を求めてもよい。無線アダプタ２０は、求めた値（最大値、最小値又は中央値）が通信可能値以上である場合、当該値を当該複数の第３応答信号を送信した無線機器３０に対する第２ＲＳＳＩ値とする。
【００８９】
（４−２）変形例２
上記実施形態では、設定器４０は、設定器４０が受信した第１応答信号及び設定対象の無線アダプタ２０が受信した第３応答信号を用いて、ペアリングの候補となる少なくとも１台の無線機器を抽出する構成としたが、この構成に限定されない。
【００９０】
設定器４０は、設定器４０が受信した第１応答信号を用いて、ペアリングの候補となる少なくとも１台の無線機器を抽出してもよい。この場合、設定器４０は、第１応答信号を受信すると、受信した第１応答信号のＲＳＳＩ値が候補用閾値以上である場合は、当該第１応答信号を送信した無線機器３０をペアリングの候補とする。
【００９１】
なお、１台の無線機器３０について第１応答信号を複数回受信する場合には、設定器４０は、受信した複数の第１応答信号のＲＳＳＩ値の平均値を算出する。設定器４０は、算出した平均値が候補用閾値以上である場合は、当該第１応答信号を送信した無線機器３０をペアリングの候補とする。または、設定器４０は、受信した複数の第１応答信号のＲＳＳＩ値に基に、最大値、最小値又は中央値を求める。無線アダプタ２０は、求めた値（最大値、最小値又は中央値）が候補用閾値以上である場合は、当該第１応答信号を送信した無線機器３０をペアリングの候補とする。
【００９２】
（４−３）変形例３
上記実施形態では、設定器４０は、第２要求信号を、ペアリングの設定の対象の無線アダプタ２０に直接送信する構成としたが、この構成に限定されない。
【００９３】
設定器４０は、第２要求信号を、コントローラ１０を介して、ペアリングの設定の対象の無線アダプタ２０に送信してもよい。この場合、コントローラ１０は、設定器４０からの第２要求信号を無線通信により受け取ると、受け取った第２要求信号を、ペアリングの設定の対象の無線アダプタ２０に信号線１１を介した有線通信により送信する。ペアリングの設定の対象の無線アダプタ２０は、第２要求信号を、コントローラ１０を介して設定器４０から受け取ると、第３要求信号を複数の無線機器３０に対してブロードキャストで送信する。この場合、ペアリングの設定の対象の無線アダプタ２０は、第３要求信号を受信した各無線機器３０が送信した第３応答信号の第２ＲＳＳＩ値を送信する場合には、無線通信で設定器４０に直接送信してもよい。または、ペアリングの設定の対象の無線アダプタ２０は、第３要求信号を受信した各無線機器３０が送信した第３応答信号の第２ＲＳＳＩ値を送信する場合に、コントローラ１０を介して設定器４０に送信してもよい。
【００９４】
（４−４）変形例４
上記実施形態では、ＲＳＳＩの測定を設定器４０及び無線アダプタ２０で行う構成としたが、この構成に限定されない。
【００９５】
無線機器３０がＲＳＳＩの測定を行ってもよい。つまり、無線機器３０の通信部３０１は、を測定する測定機能を有してもよい。この場合、無線機器３０は、設定器４０が送信した第１要求信号を受信すると、受信した第１要求信号のＲＳＳＩを測定する。無線機器３０は、測定結果（測定したＲＳＳＩ値）を第１応答信号に含めて、設定器４０に送信する。設定器４０は、受信した第１応答信号に含まれるＲＳＳＩ値が通信可能値以上である場合には、当該ＲＳＳＩ値を第１ＲＳＳＩ値とする。また、無線機器３０は、無線アダプタ２０が送信した第３要求信号を受信すると、受信した第３要求信号のＲＳＳＩを測定する。無線機器３０は、測定結果（測定したＲＳＳＩ値）を第３応答信号に含めて、無線アダプタ２０に送信する。無線アダプタ２０は、受信した第２応答信号に含まれるＲＳＳＩ値が通信可能値以上である場合には、当該ＲＳＳＩ値を第２ＲＳＳＩ値として、第２応答信号に含めて設定器４０に送信する。
【００９６】
なお、無線機器３０は、所定時間内（例えば１秒間内）に、第１要求信号を複数回（例えば、５回）受信してもよい。この場合、無線機器３０は、複数回受信した第１要求信号のＲＳＳＩ値の平均値を算出する。無線機器３０は、算出した平均値が通信可能値以上である場合、当該平均値を第１応答信号に含めて設定器４０に送信する。設定器４０は、受信した第１応答信号に含まれる平均値が通信可能値以上である場合には、当該平均値を第１ＲＳＳＩ値とする。
【００９７】
また、無線機器３０は、所定時間内（例えば１秒間内）に、第３要求信号を複数回（例えば、５回）受信してもよい。この場合、無線機器３０は、複数回受信した第３要求信号のＲＳＳＩ値の平均値を算出する。無線機器３０は、算出した平均値が通信可能値以上である場合、当該平均値を第３応答信号に含めて送信する。無線アダプタ２０は、受信した第３応答信号に含まれる平均値が通信可能値以上である場合には、当該平均値を第２ＲＳＳＩ値として、第２応答信号に含めて設定器４０に送信する。
【００９８】
無線機器３０は、複数回受信した第１要求信号のＲＳＳＩ値の平均値を算出する代わりに、最大値、最小値又は中央値を求めてもよい。同様に、無線機器３０は、複数回受信した第３要求信号のＲＳＳＩ値の平均値を算出する代わりに、最大値、最小値又は中央値を求めてもよい。
【００９９】
（４−５）変形例５
上記実施形態では、設定器４０が送信した第１要求信号を受信した無線機器３０は、設定器４０に対して第１応答信号を送信する構成としたが、この構成に限定されない。第１要求信号を受信した無線機器３０は、第１応答信号を、設定器４０及びペアリング設定の対象である無線アダプタ２０に送信してもよい。
【０１００】
この場合、設定器４０は、第１応答信号の返信先としてペアリング設定の対象である無線アダプタ２０の識別子を、第１要求信号に含める。無線機器３０は、第１要求信号を受信すると、第１信号の送付元である設定器４０及び第１要求信号に含まれる識別子が表す無線アダプタ２０を送信先として、ブロードキャストで第１応答信号を送信する。
【０１０１】
設定器４０は、第１応答信号を受信するとともに、第１応答信号のＲＳＳＩを測定する。設定器４０は、受信した第１応答信号のＲＳＳＩ値が通信可能値以上である場合には、当該ＲＳＳＩ値を第１ＲＳＳＩ値とする。
【０１０２】
無線アダプタ２０は、第１応答信号を受信するとともに、第１応答信号のＲＳＳＩを測定する。無線アダプタ２０は、受信した第１応答信号のＲＳＳＩ値が通信可能値以上である場合には、当該ＲＳＳＩ値を第２ＲＳＳＩ値として、第２応答信号に含めて設定器４０に送信する。
【０１０３】
または、別変形例として、第１要求信号を受信した無線機器３０は、第１応答信号を、ペアリング設定の対象である無線アダプタ２０に送信してもよい。
【０１０４】
この場合、無線機器３０は、第１要求信号のＲＳＳＩを測定し、測定したＲＳＳＩ値が通信可能値以上である場合には、計測結果であるＲＳＳＩ値を第１ＲＳＳＩ値として第１応答信号に含めてペアリング設定の対象である無線アダプタ２０に送信する。
【０１０５】
無線アダプタ２０は、第１応答信号を受信するとともに、第１応答信号のＲＳＳＩを測定する。無線アダプタ２０は、受信した第１応答信号のＲＳＳＩ値が通信可能値以上である場合には、当該ＲＳＳＩ値を第２ＲＳＳＩ値とする。無線アダプタ２０は、第１応答信号に含まれる第１ＲＳＳＩ値及び計測した第２ＲＳＳＩ値を含む第２応答信号を、第２応答信号に含めて設定器４０に送信する。
【０１０６】
（４−６）変形例６
上記実施形態では、設定器４０の抽出部４１１は、同一の無線機器３０に対する第１ＲＳＳＩ値と第２ＲＳＳＩ値との平均値を用いて、ペアリングの候補を抽出する構成としたが、この構成に限定されない。
【０１０７】
ペアリング候補の抽出は、図４に示す処理によって行われてもよい。以下、本変形例での設定器４０によるペアリング候補の抽出の動作について説明する。
【０１０８】
設定器４０は、第１応答信号を送信した無線機器３０ごとに、当該無線機器３０の機器ＩＤ、第１ＲＳＳＩ値及び第２ＲＳＳＩ値からなる組合せ情報を生成する（ステップＳ２００）。
【０１０９】
設定器４０は、生成した組合せ情報のうち一の組合せ情報を選択する（ステップＳ２０１）。
【０１１０】
設定器４０は、選択した組合せ情報に含まれる第１ＲＳＳＩ値が第１閾値以上であるか否かを判断する（ステップＳ２０２）。
【０１１１】
第１ＲＳＳＩ値が第１閾値以上でないと判断する場合（ステップＳ２０２における「Ｎｏ」）、設定器４０は、選択した組合せ情報に含まれる第２ＲＳＳＩ値が第２閾値以上であるか否かを判断する（ステップＳ２０３）。
【０１１２】
第２ＲＳＳＩ値が第２閾値以上でないと判断する場合（ステップＳ２０３における「Ｎｏ」）、設定器４０は、選択した組合せ情報を破棄する（ステップＳ２０４）。
【０１１３】
設定器４０は、組合せ情報の選択が終了したか否かを判断する（ステップＳ２０６）。具体的には、生成した組合せ情報のうち未選択の組み合わせ情報が存在するか否かを判断する。生成した組合せ情報のうち未選択の組み合わせ情報が存在しない場合に、設定器４０は、組合せ情報の選択が終了したと判断する。未選択の組み合わせ情報が存在する場合には、設定器４０は、組合せ情報の選択が終了していないと判断する。
【０１１４】
組合せ情報の選択が終了していないと判断する場合（ステップＳ２０６における「Ｎｏ」）、設定器４０は、次の組合せ情報を選択する（ステップＳ２０７）。次の組合せ情報が選択されると、処理はステップＳ２０２に戻る。
【０１１５】
組合せ情報の選択が終了したと判断する場合（ステップＳ２０６における「Ｙｅｓ」）、処理は終了する。
【０１１６】
第１ＲＳＳＩ値が第１閾値以上であると判断する場合（ステップＳ２０２における「Ｙｅｓ」）、設定器４０は、選択した組合せ情報に含まれる機器ＩＤの無線機器をペアリングの候補として抽出する（ステップＳ２０５）。ペアリングの候補の抽出後、処理はステップＳ２０６に移行する。
【０１１７】
第２ＲＳＳＩ値が第２閾値以上でないと判断する場合（ステップＳ２０３における「Ｎｏ」）、設定器４０は、選択した組合せ情報に含まれる機器ＩＤの無線機器をペアリングの候補として抽出する（ステップＳ２０５）。ペアリングの候補の抽出後、処理はステップＳ２０６に移行する。
【０１１８】
（４−７）その他の変形例
上記実施形態において、無線システム１は、照明器具を制御する無線機器３０に適用する構成としたが、これに限定されない。無線システム１は、照明器具に対する壁スイッチ又はセンサを制御する無線機器に適用してもよい。この場合、ペアリングの候補として抽出された無線機器を無線アダプタ２０のペアリングとして設定するか否かの決定処理では、対応する壁スイッチ又はセンサに設けられた照明を点灯させる。
【０１１９】
または、無線システム１は、エアコンディショナを制御する無線機器に適用してもよい。この場合、ペアリングの候補として抽出された無線機器を無線アダプタ２０のペアリングとして設定するか否かの決定処理では、対応するエアコンディショナの運転を開始させる。
【０１２０】
また、無線アダプタ２０は、複数台の無線機器３０と直接的に通信する構成に限らない。例えば、無線アダプタ２０からの無線信号（電波）が届かない位置にある無線機器３０との間においては、無線アダプタ２０は、中継器を介して間接的に通信してもよい。
【０１２１】
また、設定器４０は、候補用閾値を機械学習（例えば、ディープラーニング）を用いて設定してもよい。これにより、設定器４０は、最適な候補用閾値を記憶することができる。
【０１２２】
（５）利点
上記実施形態では、設定器４０は、ペアリングの設定対象である無線アダプタ２０が設置された付近から第１要求信号を送信している。そのため、設定器４０と、複数の無線機器３０のうちペアリングの設定対象である無線アダプタ２０（設定対象無線アダプタ）が通信すべき無線機器３０との間には障害物が少なくなることがある。さらに、設定対象無線アダプタと、当該設定対象無線アダプタと通信すべきでない無線機器３０との間には障害物が多くなることがある。そのため、設定対象無線アダプタが通信すべき無線機器３０との間の通信でのＲＳＳＩ値は比較的高く、設定対象無線アダプタが通信すべきでない無線機器３０との間の通信でのＲＳＳＩ値は比較的低くなる。設定対象無線アダプタが通信すべきでない無線機器３０と通信可能であっても候補用閾値よりも低い場合には、設定器４０は、当該無線機器３０をペアリングの候補としては抽出しない。そのため、設定器４０は、複数の無線機器３０から設定対象無線アダプタが通信すべき無線機器３０を絞り込むことができる。したがって、設定器４０は、ペアリングの設定の作業について時間短縮を図ることができる。
【０１２３】
（まとめ）
以上説明したように、第１の態様の無線システム（１）は、設定器（４０）を用いて無線アダプタ（２０）と少なくとも１つの無線機器（３０）とのペアリングをする。無線システム（１）は、抽出部（４１１）を備える。抽出部（４１１）は、複数の無線機器（３０）のそれぞれと設定器（４０）との間の無線通信の電波強度である設定器側電波強度に基づいて、複数の無線機器（３０）から少なくとも１つの無線機器（３０）を、無線アダプタ（２０）とのペアリングの候補として抽出する。
【０１２４】
この構成によると、複数の無線機器（３０）のうち、電波強度に基づいて少なくとも１つの無線機器（３０）を、ペアリングの候補として抽出するので、無線通信を行った複数の無線機器（３０）のすべてをペアリングの候補とする可能性は低くなる。これにより、無線システム（１）は、ペアリングの設定の作業について時間短縮を図ることができる。
【０１２５】
第２の態様の無線システム（１）では、第１の態様において、複数の無線機器（３０）ごとに対応する設定器側電波強度は、設定器（４０）が複数の無線機器（３０）のうち対応する無線機器（３０）から受信した信号（例えば、第１応答信号））に基づいて得られる。
【０１２６】
この構成によると、設定器（４０）との間で通信可能なすべての無線機器（３０）から少なくとも１つの無線機器（３０）をペアリングの候補として抽出することができる。
【０１２７】
第３の態様の無線システム（１）では、第１又は第２の態様において、抽出部（４１１）は、複数の無線機器（３０）から少なくとも１つの無線機器（３０）を無線アダプタ（２０）とのペアリングの候補として抽出する際に、さらに、複数の無線機器（３０）のそれぞれと無線アダプタ（２０）との間の無線通信の電波強度である無線アダプタ側電波強度を用いる。
【０１２８】
この構成によると、複数の無線機器（３０）と無線アダプタ（２０）との間の無線通信での各電波強度を、ペアリングの候補を抽出する際にさらに用いるので、複数の無線機器（３０）からペアリングの候補をさらに絞り込むことができる。
【０１２９】
第４の態様の無線システム（１）では、第３の態様において、複数の無線機器（３０）ごとに対応する無線アダプタ側電波強度は、無線アダプタ（２０）が複数の無線機器（３０）のうち対応する無線機器（３０）から受信した信号に基づいて得られる。
【０１３０】
この構成によると、無線アダプタ（２０）との間で通信可能なすべての無線機器（３０）から少なくとも１つの無線機器（３０）をペアリングの候補として抽出することができる。
【０１３１】
第５の態様の無線システム（１）では、第４の態様において、設定器（４０）は、複数の無線機器（３０）にそれぞれ対応付けられた識別子（機器ＩＤ）の取得を要求する取得要求信号（第２要求信号）を無線アダプタ（２０）に送信する。無線アダプタ（２０）は、取得要求信号を受信すると、識別子を要求する識別子要求信号（第３要求信号）を複数の無線機器に送信する。無線アダプタ側電波強度は、複数の無線機器（３０）のうち対応する無線機器（３０）が無線アダプタ（２０）に送信した信号であって無線機器（３０）の識別子を含む、識別子要求信号に対する応答信号（例えば、第３応答信号）に基づいて得られる。
【０１３２】
この構成によると、識別子（機器ＩＤ）に応じた無線機器（３０）を、無線アダプタ（２０）とのペアリングの候補として抽出することができる。
【０１３３】
第６の態様の無線システム（１）では、第５の態様において、取得要求信号は、設定器（４０）と無線通信を行い、無線アダプタ（２０）と有線通信を行うコントローラ（１０）を介して無線アダプタ（２０）に送信される。
【０１３４】
この構成によると、取得要求信号を設定器（４０）から送信する場合に、設定器（４０）の操作者は、コントローラ（１０）と無線通信可能な場所に居ればよく、無線アダプタ（２０）が設置された位置、つまり無線アダプタ（２０）と通信可能な場所まで移動する必要がない。
【０１３５】
第７の態様の無線システム（１）では、第３〜第６のいずれかの態様において、抽出部（４１１）は、複数の無線機器（３０）のそれぞれについて、当該無線機器（３０）に対応する設定器側電波強度と、当該無線機器（３０）に対応する無線アダプタ側電波強度との平均値を求める。抽出部（４１１）は、複数の無線機器（３０）にそれぞれ対応する複数の平均値を用いて、複数の無線機器（３０）から少なくとも１つの無線機器（３０）を、無線アダプタ（２０）とのペアリングの候補として抽出する。
【０１３６】
この構成によると、無線機器（３０）と設定器（４０）との間の無線通信の電波強度と、当該無線機器（３０）と無線アダプタ（２０）との間の無線通信の電波強度とを用いるので、複数の無線機器（３０）からペアリングの候補をより絞り込むことができる。
【０１３７】
第８の態様の無線システム（１）では、第１〜第６のいずれかの態様において、抽出部（４１１）は、複数の無線機器（３０）のそれぞれについて、当該無線機器（３０）に対応する設定器側電波強度が所定の閾値以上である場合に、当該無線機器（３０）を無線アダプタ（２０）とのペアリングの候補として抽出する。
【０１３８】
この構成によると、無線システム（１）は、無線機器（３０）と設定器（４０）との間の無線通信の電波強度と、閾値との比較により、無線機器（３０）を無線アダプタ（２０）とのペアリングの候補とするか否かを判断することができる。
【０１３９】
第９の態様の無線制御システム（２）は、無線アダプタ（２０）と少なくとも１つの無線機器（３０）とを含む。無線アダプタ（２０）は、複数の無線機器（３０）から少なくとも１つの無線機器（３０）を無線アダプタ（２０）とのペアリングの候補として抽出する設定器（４０）と通信を行い、ペアリングの候補である当該少なくとも１つの無線機器（３０）に対して制御を行う。設定器（４０）は、複数の無線機器（３０）から少なくとも１つの無線機器（３０）を無線アダプタ（２０）とのペアリングの候補として、複数の無線機器（３０）のそれぞれとの間の無線通信の電波強度である設定器側電波強度に基づいて抽出する。
【０１４０】
この構成によると、無線制御システム（２）は、ペアリングの設定の作業について時間短縮を図ることができる。
【０１４１】
第１０の態様の設定器（４０）は、無線アダプタ（２０）と少なくとも１つの無線機器（３０）とのペアリングをするために用いられる。設定器（４０）は、抽出部（４１１）を備える。抽出部（４１１）は、複数の無線機器（３０）のそれぞれとの間の無線通信の電波強度である設定器側電波強度に基づいて、複数の無線機器（３０）から少なくとも１つの無線機器（３０）を、無線アダプタ（２０）とのペアリングの候補として抽出する。
【０１４２】
この構成によると、設定器（４０）は、ペアリングの設定の作業について時間短縮を図ることができる。
【０１４３】
第１１の態様のプログラムは、無線アダプタ（２０）と少なくとも１つの無線機器（３０）とのペアリングをするために用いられる設定器で用いられるプログラムである。当該プログラムは、コンピュータに、抽出ステップを実行させるためのプログラムである。抽出ステップは、複数の無線機器（３０）のそれぞれとの間の無線通信の電波強度である設定器側電波強度に基づいて、複数の無線機器（３０）から少なくとも１つの無線機器（３０）を、無線アダプタ（２０）とのペアリングの候補として抽出する。
【０１４４】
このプログラムによると、ペアリングの設定の作業について時間短縮を図ることができる。
【０１４５】
第１２の態様の設定方法は、設定器（４０）を用いて無線アダプタ（２０）と少なくとも１つの無線機器（３０）とのペアリングをする無線システムで用いられる。設定方法は、抽出ステップを含む。抽出ステップは、複数の無線機器（３０）のそれぞれと設定器（４０）との間の無線通信の電波強度である設定器側電波強度に基づいて、複数の無線機器（３０）から少なくとも１つの無線機器（３０）を、無線アダプタ（２０）とのペアリングの候補として抽出する。
【０１４６】
この設定方法によると、ペアリングの設定の作業について時間短縮を図ることができる。
【符号の説明】
【０１４７】
１    無線システム
２    無線制御システム
１０    コントローラ
２０，２０ａ，２０ｂ，２０ｃ  無線アダプタ
３０，３０ａ，３０ｂ，３０ｃ  無線機器
４０    設定器
４１１    抽出部
【図１】
2020005209.tif 000003
【図２】
2020005209.tif 000004
【図３】
2020005209.tif 000005
【図４】
2020005209.tif 000006